(57)【要約】【課題】ヨーク２の端面２ｂが未塗装で空中に露出するスタータモータ１において、外周面２ａの塗装浮きを抑制する。【解決手段】スタータモータ１によれば、ヨーク２とエンドフレーム７とが軸方向に対向することで軸方向の隙間２４が形成され、隙間２４は、スタータモータ１の外周に開放されている。また、ヨーク２の表面には防錆処理が施され、ヨーク２の外周面２ａには防錆処理を施した後、合成樹脂が塗装され、さらに、隙間２４を形成する端面２ｂは、防錆処理が施された後、合成樹脂が塗装されていない。そして、ヨーク２の表面に施される防錆処理は亜鉛合金メッキである。これにより、塗装前のヨーク２に施す防錆処理に亜鉛合金メッキを用いることで、防錆処理用のメッキの錆びを大幅に抑制することができる。このため、外周面２ａにおける塗装浮きを抑制することができる。【選択図】図２
2015098837.tif 000002
【特許請求の範囲】
【請求項１】
内燃機関を始動するスタータモータ（１）において、
電機子（４）および界磁（３）を収容して前記スタータモータ（１）の外郭をなす筒状のヨーク（２）と、
このヨーク（２）の軸方向一端側で前記スタータモータ（１）の外郭をなすフレーム（７）と、
前記ヨーク（２）と前記フレーム（７）とが軸方向に対向することで形成され、前記スタータモータ（１）の外周に開放されている軸方向の隙間（２４）とを備え、
前記ヨーク（２）の表面には防錆処理が施され、
前記ヨーク（２）の表面の内、前記ヨーク（２）の外周面（２ａ）には防錆処理を施した後、合成樹脂が塗装され、さらに、前記ヨーク（２）の表面の内、前記隙間（２４）を形成する対向面（２ｂ）は、防錆処理が施された後、前記合成樹脂が塗装されず、
前記ヨーク（２）の表面に施される防錆処理は、亜鉛合金メッキであることを特徴とするスタータモータ（１）。
【請求項２】
請求項１に記載のスタータモータ（１）において、
ブラシ（６）を収容するブラシホルダ（１９）に固定されるプレート（２２）を備え、
このプレート（２２）は、前記ヨーク（２）と前記フレーム（７）とにより軸方向に挟まれて保持されていることを特徴とするスタータモータ（１）。
【請求項３】
請求項１または請求項２に記載のスタータモータ（１）において、
前記ヨーク（２）と前記フレーム（７）との間にはＯリング（２６ａ）が挟まり、このＯリング（２６ａ）により前記スタータモータ（１）の内部が外部に対して封鎖され、
前記Ｏリング（２６ａ）は、前記対向面（２ｂ）に圧接して押し潰されていることを特徴とするスタータモータ（１）。
【請求項４】
請求項１ないし請求項３の内のいずれか１つに記載のスタータモータ（１）において、
前記ヨーク（２）は、クロメート処理が施されていないことを特徴とするスタータモータ（１）。
【発明の詳細な説明】
【技術分野】
【０００１】
本発明は、内燃機関を始動するスタータモータに関する。
【背景技術】
【０００２】
従来から、スタータモータでは、ブラシを収容するブラシホルダを備え、このブラシホルダをスタータモータの内部で保持する構造として、ビス等によりブラシホルダをエンドフレームにネジ締結するものが公知である（例えば、特許文献１参照。）。また、ブラシホルダの保持構造として、ブラシホルダを固定したプレートをヨークとエンドフレームとにより軸方向に挟むことでブラシホルダを保持するものが公知であり、この保持構造によれば、ネジ締結を省くことでコストダウンすることができる。
【０００３】
ところで、例えば、２輪車用のスタータモータでは、実機搭載時の装飾性の面からヨークに合成樹脂からなる塗料を塗装することがある。そして、この塗装は、工数低減のために、複数のヨークを軸方向に積み重ねた多段重ねの状態で行われるので（図３参照。）、ヨークの端面は塗料が塗装されない未塗装になる。
この結果、ネジ締結によらず、ヨークとエンドフレームとの挟み込みによりブラシホルダを保持する場合、次のような塗装浮きの問題が発生する。
【０００４】
すなわち、ヨークとエンドフレームとの挟み込みによる保持構造では、軸方向に関する寸法公差を吸収するため、ヨークの端面とエンドフレームに設けた段面とを軸方向に対向させて隙間を形成し、この隙間をスタータモータの外周に開放している。したがって、未塗装のヨークの端面が空気中に露出して赤錆が発生するのを抑制するため、塗装前のヨークに防錆処理としての亜鉛メッキを施した後、多段重ねの状態にして塗料を塗装している。
【０００５】
これにより、ヨーク端面において赤錆の発生は抑制されるものの、ヨーク外周面において塗装浮きが進行する。つまり、ヨーク端面の亜鉛メッキが錆びると（いわゆる黒錆が発生すると）、塗料が上塗りされたヨーク外周面にも亜鉛メッキの錆びが進行する。この結果、亜鉛の錆びによる体積膨張に伴い、ヨーク外周面では、ヨーク端面から塗装浮きが進行する。
【０００６】
なお、ヨーク端面の未塗装は、多段重ねによる工数低減効果以外に、Ｏリングの防水性能を損なわない点でも必要と考えられている。つまり、ヨークとエンドフレームとの間にはＯリングが装着され、Ｏリングによりスタータモータの内部が外部に対して封鎖されている。このとき、Ｏリングは、ヨーク端面とエンドフレームの段面とに押し潰されて圧接することで防水能力を発揮する。このため、ヨーク端面に塗料が塗装されると、塗装だまりによって防水性能が損なわれる危険性があり、Ｏリングの防水性能を損なわない点でも、ヨーク端面の未塗装は必要と考えられている。
【先行技術文献】
【特許文献】
【０００７】
【特許文献１】特開２００６−２７１１６０号公報
【発明の概要】
【発明が解決しようとする課題】
【０００８】
本発明は、上記の問題点を解決するためになされたものであり、その目的は、ヨーク端面が未塗装で空中に露出するスタータモータにおいて、ヨーク外周面の塗装浮きを抑制することにある。
【課題を解決するための手段】
【０００９】
本発明によれば、スタータモータは、内燃機関を始動するものであり、以下のヨーク、フレームおよび軸方向の隙間を備える。
ヨークは、筒状に設けられ、電機子および界磁を収容してスタータモータの外郭をなす。また、フレームは、ヨークの軸方向一端側でスタータモータの外郭をなす。さらに、軸方向の隙間は、ヨークとフレームとが軸方向に対向することで形成され、スタータモータの外周に開放されている。
【００１０】
また、ヨークの表面には防錆処理が施され、ヨークの表面の内、ヨークの外周面には防錆処理を施した後、合成樹脂が塗装され、さらに、ヨークの表面の内、隙間を形成する対向面は、防錆処理が施された後、合成樹脂が塗装されていない。そして、ヨークの表面に施される防錆処理は亜鉛合金メッキである。
これにより、塗装前のヨークに施す防錆処理に亜鉛合金メッキを用いることで、防錆処理用のメッキの錆びを大幅に抑制することができる。このため、ヨーク外周面の塗装浮きを抑制することができる。
【図面の簡単な説明】
【００１１】
【図１】スタータモータの全体構成図である（実施例）。
【図２】スタータモータの要部構成図である（実施例）。
【図３】ヨークの多段重ねの状態を示す説明図である（実施例）。
【発明を実施するための形態】
【００１２】
実施形態のスタータモータを実施例に基づき説明する。
【実施例】
【００１３】
〔実施例の構成〕
実施例のスタータモータ１を図１〜図３を用いて説明する。
スタータモータ１は、例えば、２輪車に搭載されて内燃機関を始動するものであり、図１に示すように、磁気回路を形成するヨーク２と、界磁としての複数個の磁石３と、磁石３の内周側に回転自在に配置される電機子４とを備える。なお、スタータモータ１は、整流子５とブラシ６との摺接により電機子４に電流を流す直流電動機である。
【００１４】
ヨーク２は、両端が開口する円筒形状の鉄製の鋼管によって製作され、内周に電機子４および磁石３を収容してスタータモータ１の外郭をなす。そして、ヨーク２は、軸方向一端側、他端側それぞれの側でスタータモータ１の外郭をなすエンドフレーム７、フロントハウジング８に挟持され、スルーボルト（図示せず。）の締め付けにより固定されている。
【００１５】
また、ヨーク２にはクロメート処理が施されず、その表面には防錆処理として亜鉛合金メッキが施されている。さらに、ヨーク２の外周面２ａには、防錆処理を施した後、実機搭載時の装飾性のために合成樹脂が塗装される。ここで、塗装は、工数低減のために、複数のヨーク２を軸方向に積み重ねた多段重ねの状態で行われる（図３参照。）。このため、ヨーク２の軸方向両端の端面２ｂ、２ｃや内周面には、合成樹脂が塗装されない。
なお、防錆処理に使用される亜鉛合金は、例えば、ＺｎＦｅやＺｎＦｅＮｉである。また、塗装される合成樹脂は、例えば、エポキシ樹脂である。
【００１６】
複数個の磁石３は、例えば、フェライトを主成分とする磁石であり、ヨーク２の内周面に周方向等間隔に配置されている。
電機子４は、電機子軸１２に固定される電機子鉄心１３と、電機子鉄心１３に巻線される電機子コイル１３ａとを有し、電機子軸１２に整流子５が設けられている。ここで、電機子軸１２は、軸方向一端側、他端側がそれぞれベアリング１４、１５を介してエンドフレーム７、フロントハウジング８に支持されている。なお、ベアリング１５の軸方向他端側にはオイルシール１６が装着されている。
【００１７】
また、電機子軸１２の他端側端部にはピニオンギヤ１８が形成されている。そして、ピニオンギヤ１８はフロントハウジング８の軸方向他端側に取り出されており、内燃機関のアイドルギヤ（図示せず。）に噛み合わされる。
なお、整流子５は、互いに絶縁された複数のセグメントを電機子軸１２の外周に円筒状に配置して構成され、個々のセグメントがそれぞれ電機子コイル１３ａに接続している。
【００１８】
ブラシ６は、ブラシスプリング（図示せず。）とともにブラシホルダ１９に収容されて整流子５の外周に配置され、ブラシスプリングによって整流子５の外周面に押し付けられている。また、ブラシ６は、給電用の端子ボルト２０に導通接続する正極側のものと、エンドフレーム７を介してアースに接続する負極側のものとが設けられている。
【００１９】
そして、ブラシホルダ１９は、円環板状のプレート２２に固定されて一体化しており、プレート２２をヨーク２とエンドフレーム７とにより軸方向に挟むことで保持されている。より具体的に説明すると、図２に示すように、ヨーク２の軸方向一端寄りの内周に段面２ｄが設けられ、ヨーク２の内周は、段面２ｄよりも軸方向一端側において軸方向他端側よりも拡径している。
【００２０】
また、エンドフレーム７は、段面７ａを形成して軸方向他端側の部分（以下、他端部７ｂと呼ぶ。）が縮径している。ここで、他端部７ｂは、ヨーク２の内周の拡径している範囲に嵌まることができるように設けられている。そして、ヨーク２の内周に他端部７ｂを嵌め、他端部７ｂの他端と段面２ｄとによりプレート２２を挟むことでブラシホルダ１９を保持している。
【００２１】
また、他端部７ｂの軸方向一端は内周側に窪む溝７ｃであり、溝７ｃの軸方向一端側の壁面は、段面７ａに連続している。そして、ヨーク２の端面２ｂ、２ｃの内、軸方向一端側の端面２ｂは、軸方向に関する寸法公差を吸収するため、溝７ｃの外周側で段面７ａに当接しないように位置取りされている。つまり、端面２ｂと段面７ａとを軸方向に対向させて軸方向の隙間２４を形成し、隙間２４をスタータモータ１の外周に開放している。
【００２２】
さらに、溝７ｃには、断面が円形のＯリング２６ａが装着され、Ｏリング２６ａによりスタータモータ１の内部が外部に対して封鎖されている。このとき、Ｏリング２６ａは、端面２ｂ、段面７ａおよび溝７ｃの底面とに押し潰されて圧接することで防水能力を発揮する。
【００２３】
なお、フロントハウジング８とヨーク２の軸方向他端との間にも同様のＯリング２６ｂが装着され（図１参照。）、スタータモータ１の内部が外部に対して封鎖されている。また、フロントハウジング８の軸方向他端部の外周にもＯリング２６ｃが装着されており（図１参照。）、Ｏリング２６ｃは、フロントハウジング８の軸方向他端部をクランクケース（図示せず。）に装着したときに、クランクケース内のオイルの漏出を阻止する。
【００２４】
〔実施例の効果〕
実施例のスタータモータ１によれば、ヨーク２とエンドフレーム７とが軸方向に対向することで軸方向の隙間２４が形成され、隙間２４は、スタータモータ１の外周に開放されている。
また、ヨーク２の表面には防錆処理が施され、ヨーク２の外周面２ａには防錆処理を施した後、合成樹脂が塗装され、さらに、隙間２４を形成する端面２ｂは、防錆処理が施された後、合成樹脂が塗装されていない。そして、ヨーク２の表面に施される防錆処理は亜鉛合金メッキである。
【００２５】
これにより、塗装前のヨーク２に施す防錆処理に亜鉛合金メッキを用いることで、防錆処理用のメッキの錆びを大幅に抑制することができる。このため、外周面２ａにおける塗装浮きを抑制することができる。
また、塗装された合成樹脂がクロメート処理と同様に機能することから、クロメート処理を省略してコストダウンすることができる。
さらに、端面２ｂを未塗装とすることで、複数のヨーク２を多段重ねの状態で塗装して工数を低減することができ（図３参照。）、かつ、塗装だまりによって防水性能が損なわれる危険性を解消することができる。
【００２６】
〔変形例〕
スタータモータ１の態様は、実施例に限定されず種々の変形例を考えることができる。
例えば、実施例のスタータモータ１によれば、複数の磁石３による磁石界磁が採用されていたが、巻線界磁を採用してもよい。
【符号の説明】
【００２７】
１  スタータモータ  ２  ヨーク  ２ａ  外周面  ２ｂ  端面（対向面）  ３  磁石（界磁）  ４  電機子  ７  エンドフレーム（フレーム）  ２４  隙間
【図１】
2015098837.tif 000003
【図２】
2015098837.tif 000004
【図３】
2015098837.tif 000005